(57)【要約】【課題】  プラズマディスプレイ装置などの表示装置の映像と、オーディオアンプ装置などの音声出力装置の出力音声との同期を、簡単に調整すること。【解決手段】  表示装置３は、所定の輝度変化あるいは所定の色変化を有する動画を表示する。音声出力装置４の可視光受光部３３は、表示装置３に表示される動画の光を受光する。音声出力装置４は、この動画の所定の変化に同期して変化する音声を、記憶手段２３に記憶されている遅延データの値に応じて遅延して出力する。一致検出手段３４は、動画の所定の変化の変化タイミングと音声の変化タイミングとが一致していることを検出する。変更手段３５は、一致が検出されるまで、記憶手段２３に、互いに値が異なる複数の遅延データを１つずつ順番に記憶させる。【選択図】  図３
2006340251.tif 000002
【特許請求の範囲】
【請求項１】
所定の輝度変化あるいは所定の色変化を有する動画およびこの動画の所定の変化に同期して変化する音声を再生する同期信号発生装置が接続され、この同期信号発生装置から少なくともその音声を含む音声信号が入力される信号入力手段と、
遅延データを記憶する記憶手段と、
上記信号入力手段に入力された音声信号に基づく音声信号の出力を、上記記憶手段に記憶されている遅延データの示す時間で遅らせる遅延手段と、
上記所定の輝度変化あるいは所定の色変化を有する動画を表示する表示装置の光を受光する受光手段と、
上記受光手段の出力および上記遅延手段の出力に基づいて、上記動画の上記所定の変化の変化タイミングと上記音声の変化タイミングとが一致していることを検出する一致検出手段と、
上記一致検出手段が一致を検出するまで、上記記憶手段に、互いに値が異なる複数の遅延データを１つずつ順番に記憶させる変更手段と、
を有することを特徴とする音声出力装置。
【請求項２】
所定の輝度変化あるいは所定の色変化を有する動画およびこの動画の所定の変化に同期して変化する音声を再生する同期信号発生装置が接続され、この同期信号発生装置から少なくともその音声を含む音声信号が入力される信号入力手段と、
遅延データを記憶する記憶手段と、
上記信号入力手段に入力された音声信号に基づく音声信号の出力を、上記記憶手段に記憶されている遅延データの示す時間で遅らせる遅延手段と、
上記所定の輝度変化あるいは所定の色変化を有する動画を表示する表示装置の光を受光する受光手段と、
上記受光手段の出力および上記遅延手段の出力に基づいて、上記動画の上記所定の変化の変化タイミングと上記音声の変化タイミングとのずれ量を検出するずれ量検出手段と、
上記ずれ量検出手段が検出したずれ量に基づいて、そのずれ量を減らす遅延データを上記記憶手段に記憶させる設定手段と、
を有することを特徴とする音声出力装置。
【請求項３】
前記一致検出手段または前記ずれ量検出手段は、前記動画および／または音声信号に含まれる同期パターンを検出してから、それぞれの検出処理を行うことを特徴とする請求項１または２項記載の音声出力装置。
【請求項４】
前記一致検出手段または前記ずれ量検出手段は、所定の輝度変化あるいは所定の色変化が当該動画の２フレーム以上の間隔で生じる動画に基づいて、それぞれの検出処理を行うことを特徴とする請求項１から３の中のいずれか１項記載の音声出力装置。
【請求項５】
前記一致検出手段または前記ずれ量検出手段は、動画の所定の変化に同期して周波数あるいは振幅が変化する音声に基づいて、それぞれの検出処理を行うことを特徴とする請求項１から４の中のいずれか１項記載の音声出力装置。
【請求項６】
前記受光手段は、前記表示装置の表示画面に貼り付けられた状態で、当該表示装置の光を受光することを特徴とする請求項１から５の中のいずれか１項記載の音声出力装置。
【請求項７】
当該音声出力装置とは別体に形成され、前記受光手段および前記受光手段の出力を送信する送信手段を有する遠隔ユニットと、
上記遠隔ユニットが送信した送信信号を受信する受信ユニットと、
を有することを特徴とする請求項１から６の中のいずれか１項記載の音声出力装置。
【請求項８】
前記遅延手段により遅延される音声信号を出力する音声信号出力手段と、
前記変更手段により前記記憶手段を更新している期間には、もしくは、前記設定手段により新たな遅延データが設定されている期間は、上記音声信号出力手段からの上記音声信号の出力を禁止するミュート手段と、
を有することを特徴とする請求項１から７の中のいずれか１項記載の音声出力装置。
【請求項９】
前記入力手段に入力される音声信号及び／又は、前記入力手段から出力される音声信号は、デジタル信号であることを特徴とする請求項１から８の中のいずれか１項記載の音声出力装置。
【請求項１０】
入力される信号に基づいて画像を表示する表示装置と、入力される信号に基づいて音声を出力する音声出力装置との同期を調整する方法であって、
上記音声出力装置がそれに入力された音声信号に基づいて出力する音声信号の遅延時間を設定するステップと、
所定の輝度変化あるいは所定の色変化を有する動画を上記表示装置に表示し且つこの動画の所定の変化に同期して変化する音声を上記音声出力装置において上記設定された遅延時間にて遅延するステップと、
上記表示装置の表示に基づいて検出される上記表示装置における上記動画の上記所定の変化の変化タイミングと、上記設定に基づいて遅延された音声の変化タイミングとが一致するまで、上記音声出力装置がそれに入力された音声信号に基づいて出力する音声信号の遅延時間を順次更新するステップと、
を有することを特徴とする同期調整方法。
【請求項１１】
入力される信号に基づいて画像を表示する表示装置と、入力される信号に基づいて音声を出力する音声出力装置との同期を調整する方法であって、
所定の輝度変化あるいは所定の色変化を有する動画を上記表示装置に表示するステップと、
上記表示装置の表示に基づいて検出される上記表示装置における上記動画の上記所定の変化の変化タイミングと、上記動画の所定の変化に同期して変化する音声の上記音声出力装置における変化タイミングとのずれ量を検出するステップと、
上記検出されたずれ量に基づいて、そのずれ量を減らすように、上記音声出力装置がそれに入力された音声信号に基づいて出力する音声信号の遅延時間を設定するステップと、
を有することを特徴とする同期調整方法。
【発明の詳細な説明】
【技術分野】
【０００１】
本発明は、音声出力装置および同期調整方法に関する。
【背景技術】
【０００２】
特許文献１は、テレビジョンの映像信号と音声信号の時間差測定装置を開示する。特許文献１の時間差測定装置は、同時に発生したテレビジョンの映像信号と音声信号とがそれぞれ別の伝送路または信号処理回路を介して伝送または処理されたのちモニタに供されるとき、モニタ時点における映像信号と音声信号の到達時間差を測定するものである。
【０００３】
特許文献１の時間差測定装置は、映像信号と音声信号の到達時間差を測定するために、テレビジョンの映像信号と音声信号とに基づいてそれぞれテレビジョンの映像と音声とを得る手段と、該得られたテレビジョンの映像の画面中前記画面の一部における時間的な輝度の変化を対応したレベルの電気信号に変換する光−電気変換器と、該光−電気変換器によって得られた電気信号を２値のパルス信号に整形する第１の波形整形回路と、該第１の該波形整形回路の出力から１パルスを発生する第１の１パルス発生回路と、得られたテレビジョンの音声を該音声のレベルに対応した電気信号に変換するマイクロホンと、該マイクロホンによって得られた電気信号を微分する微分回路と、該微分回路の出力を２値のパルス信号に整形する第２の波形整形回路と、該第２の波形整形回路の出力から１パルスを発生する第２の１パルス発生回路と、前記第１の１パルス発生回路の出力でゲートオンし前記第２の１パルス発生回路の出力でゲートオフするゲート回路と、該ゲート回路がゲートオンとなっている期間を当該期間に含まれるクロックパルスの数をカウントすることにより測定するカウンタ回路と、該カウンタ回路によるカウント結果を表示する時間表示器と、を備える。
【０００４】
【特許文献１】特開平１０−２８５４８３号公報（特許請求の範囲、発明の詳細な説明など）
【発明の開示】
【発明が解決しようとする課題】
【０００５】
ところで、近年、プラズマディスプレイ装置が開発され、普及しはじめている。プラズマディスプレイ装置は、ＴＦＴ（Ｔｈｉｎ  Ｆｉｌｍ  Ｔｒａｎｓｉｓｔｏｒ）を使用する一般的な液晶ディスプレイ装置に比べて、大画面のものを製品化しやすいというメリットがある。プラズマディスプレイ装置は、その大画面で高画質な表示能力のために、たとえばオーディオアンプ装置などと組合せて、ホームシアターシステムとして利用される場合がある。
【０００６】
しかしながら、このプラズマディスプレイ装置と、オーディオアンプ装置などを組合せて使用する場合、以下のような問題が生じる。
【０００７】
すなわち、プラズマディスプレイ装置は、そのディスプレイドライバがプラズマ発光表示部のアドレス電極および表示電極に電圧を印加し、この電圧で所望の放電セル内でプラズマ放電を発生し、そのプラズマ放電にともなう紫外線でその放電セルに設けられた蛍光体を発光させている。また、プラズマディスプレイ装置は、それに入力された動画を、プラズマ発光表示部のアドレス電極および表示電極に与える制御信号へ変換するために、映像Ａ／Ｄ変換部、信号処理部、ディスプレイドライバなどの信号処理系の回路を有する。
【０００８】
そのため、プラズマディスプレイ装置は、アナログ映像信号が入力されてから、その信号に基づく表示画面が表示されるまでに大きな遅延時間が発生する。プラズマディスプレイ装置では、ＴＦＴを使用する一般的な液晶ディスプレイ装置などにあってはそのユーザが感じることはない、大きな遅延時間を生じる。そのプラズマディスプレイ装置の表示画面の遅れは、数十〜数百ミリ秒にもなることがある。
【０００９】
このようにプラズマディスプレイ装置は、それに信号が入力されてからその信号に基づく表示画面を表示するまでに大きな遅延が発生している。その結果、このプラズマディスプレイ装置とオーディオアンプ装置などを組合せて使用する場合、プラズマディスプレイ装置が映像を表示するより先に、オーディオアンプ装置から音声が出力されてしまう。つまり、映像より音が先行して出力されてしまう。たとえば、二人の人が喧嘩をしている場面では、殴る音がしてから、人が殴られる画面が表示されてしまう。
【００１０】
人は、映像より音が遅れる場合には、たとえば遠くで雷がなっている場合を想像すれば解るように、自分の遠方において映像の場面が展開されていると感じ、違和感を感じ難い。しかしながら、映像より音が先行した場合、現実社会ではありえないことになるので、その先行の程度が非常にわずかな時間であったとしても、違和感を感じやすい。
【００１１】
このような状況は、他の方式の表示装置でも大なり小なり起こり得る。
【００１２】
そして、このような違和感が生じないように、プラズマディスプレイ装置の映像と、オーディオアンプ装置から出力される音声との同期を調整しようとする場合、特許文献１に記載されているような時間差測定装置を用いて、映像と音声とのずれ量の値を測定しなければならない。このような時間差測定装置は、映像と音声とのずれ量の値の測定のためだけに使用するものであり、一般人が気軽に購入して利用することができるようなものではない。
【００１３】
本発明は、プラズマディスプレイ装置などの表示装置の映像と、オーディオアンプ装置などの音声出力装置の出力音声との同期を、自動的に調整することができる音声出力装置および同期調整方法を得ることを目的とする。
【課題を解決するための手段】
【００１４】
本発明に係る音声出力装置は、所定の輝度変化あるいは所定の色変化を有する動画およびこの動画の所定の変化に同期して変化する音声を再生する同期信号発生装置が接続され、この同期信号発生装置から少なくともその音声を含む音声信号が入力される信号入力手段と、遅延データを記憶する記憶手段と、信号入力手段に入力された音声信号に基づく音声信号の出力を、記憶手段に記憶されている遅延データの示す時間で遅らせる遅延手段と、所定の輝度変化あるいは所定の色変化を有する動画を表示する表示装置の光を受光する受光手段と、受光手段の出力および遅延手段の出力に基づいて、動画の所定の変化の変化タイミングと音声の変化タイミングとが一致していることを検出する一致検出手段と、一致検出手段が一致を検出するまで、記憶手段に、互いに値が異なる複数の遅延データを１つずつ順番に記憶させる変更手段と、を有するものである。
【００１５】
本発明に係る他の音声出力装置は、所定の輝度変化あるいは所定の色変化を有する動画およびこの動画の所定の変化に同期して変化する音声を再生する同期信号発生装置が接続され、この同期信号発生装置から少なくともその音声を含む音声信号が入力される信号入力手段と、遅延データを記憶する記憶手段と、信号入力手段に入力された音声信号に基づく音声信号の出力を、記憶手段に記憶されている遅延データの示す時間で遅らせる遅延手段と、所定の輝度変化あるいは所定の色変化を有する動画を表示する表示装置の光を受光する受光手段と、受光手段の出力および遅延手段の出力に基づいて、動画の所定の変化の変化タイミングと音声の変化タイミングとのずれ量を検出するずれ量検出手段と、ずれ量検出手段が検出したずれ量に基づいて、そのずれ量を減らす遅延データを記憶手段に記憶させる設定手段と、を有するものである。
【００１６】
本発明に係る音声出力装置は、上述した発明に係る各構成に加えて、一致検出手段またはずれ量検出手段が、動画および／または音声信号に含まれる同期パターンを検出してから、それぞれの検出処理を行うものである。
【００１７】
本発明に係る音声出力装置は、上述した発明に係る各構成に加えて、一致検出手段またはずれ量検出手段が、所定の輝度変化あるいは所定の色変化が当該動画の２フレーム以上の間隔で生じる動画に基づいて、それぞれの検出処理を行うものである。
【００１８】
本発明に係る音声出力装置は、上述した発明に係る各構成に加えて、一致検出手段またはずれ量検出手段が、動画の所定の変化に同期して周波数あるいは振幅が変化する音声に基づいて、それぞれの検出処理を行うものである。
【００１９】
本発明に係る音声出力装置は、上述した発明に係る各構成に加えて、受光手段が、表示装置の表示画面に貼り付けられた状態で、当該表示装置の光を受光するものである。
【００２０】
本発明に係る音声出力装置は、上述した発明に係る各構成に加えて、当該音声出力装置とは別体に形成され、受光手段および受光手段の出力を送信する送信手段を有する遠隔ユニットと、遠隔ユニットが送信した送信信号を受信する受信ユニットと、を有するものである。
【００２１】
本発明に係る音声出力装置は、上述した発明に係る各構成に加えて、遅延手段により遅延される音声信号を出力する音声信号出力手段と、変更手段により記憶手段を更新している期間には、もしくは、設定手段により新たな遅延データが設定されている期間は、音声信号出力手段からの音声信号の出力を禁止するミュート手段と、を有するものである。
【００２２】
本発明に係る音声出力装置は、上述した発明に係る各構成に加えて、入力手段に入力される音声信号及び／又は、入力手段から出力される音声信号は、デジタル信号であるものである。
【００２３】
本発明に係る同期調整方法は、入力される信号に基づいて画像を表示する表示装置と、入力される信号に基づいて音声を出力する音声出力装置との同期を調整する方法であって、音声出力装置がそれに入力された音声信号に基づいて出力する音声信号の遅延時間を設定するステップと、所定の輝度変化あるいは所定の色変化を有する動画を表示装置に表示し且つこの動画の所定の変化に同期して変化する音声を音声出力装置において設定された遅延時間にて遅延するステップと、表示装置の表示に基づいて検出される表示装置における動画の所定の変化の変化タイミングと、設定に基づいて遅延された音声の変化タイミングとが一致するまで、音声出力装置がそれに入力された音声信号に基づいて出力する音声信号の遅延時間を順次更新するステップと、を有するものである。
【００２４】
本発明に係る他の同期調整方法は、入力される信号に基づいて画像を表示する表示装置と、入力される信号に基づいて音声を出力する音声出力装置との同期を調整する方法であって、所定の輝度変化あるいは所定の色変化を有する動画を表示装置に表示するステップと、表示装置の表示に基づいて検出される表示装置における動画の所定の変化の変化タイミングと、動画の所定の変化に同期して変化する音声の音声出力装置における変化タイミングとのずれ量を検出するステップと、検出されたずれ量に基づいて、そのずれ量を減らすように、音声出力装置がそれに入力された音声信号に基づいて出力する音声信号の遅延時間を設定するステップと、を有するものである。
【発明の効果】
【００２５】
本発明では、プラズマディスプレイ装置などの表示装置の映像と、オーディオアンプ装置などの音声出力装置の出力音声との同期を、簡単に調整することができる。
【発明を実施するための最良の形態】
【００２６】
以下、本発明の実施の形態に係る音声出力装置および同期調整方法を、図面に基づいて説明する。音声出力装置は、オーディオアンプ装置を例として説明する。同期調整方法は、同期調整システムの動作として説明する。
【００２７】
実施の形態１．
図１は、本発明の実施の形態１に係る同期調整システムを示す図である。同期調整システムは、同期調整のための動画および音声の再生データが記録されている記録媒体としてのテストディスク１と、このテストディスク１を再生する再生装置としてのディスク再生装置２と、表示装置としてのプラズマディスプレイ装置３と、音声出力装置としてのオーディオアンプ装置４と、スピーカ５と、を有する。
【００２８】
図２は、図１中のプラズマディスプレイ装置３の構成を示すブロック図である。同期調整の対象であるプラズマディスプレイ装置３は、アナログ映像入力端子１１と、映像Ａ／Ｄ（Ａｎａｌｏｇ  ｔｏ  Ｄｉｇｉｔａｌ）変換部１２と、信号処理部１３と、ディスプレイドライバ１４と、プラズマ発光表示部１５と、を有する。プラズマディスプレイ装置３は、アナログ音声入力端子１７と、アンプ回路１８と、内蔵スピーカ１９と、を有する。
【００２９】
プラズマ発光表示部１５は、図示外の複数の放電セルを有する。複数の放電セルは、二次元のマトリックス状に配列される。放電セルは、表示画素の色要素（たとえば赤、緑、青などの色の組合せにおける各色）毎に形成される。
【００３０】
放電セルは、アドレス電極と表示電極との間にある空洞内にガスが封入された構造を有する。空洞内には、それぞれの放電セルの表示色に蛍光する蛍光体が配設される。アドレス電極と表示電極との間に高電圧が印加されると、封入されたガスがプラズマ発光する。そのプラズマ発光により発生する紫外線で、その放電セルに設けられた蛍光体がそれぞれの表示色を発光する。
【００３１】
プラズマディスプレイ装置３のアナログ映像入力端子１１には、アナログ映像信号が入力される。アナログ映像信号には、たとえばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やＰＡＬ（Ｐｈａｓｅ  Ａｌｔｅｒｎａｔｉｎｇ  Ｌｉｎｅ）方式でのアナログビデオ信号や、デジタル放送の映像入出力のためのフォーマットによるアナログビデオ信号などがある。デジタル放送の映像入出力のためのフォーマットによるアナログビデオ信号が入力されるアナログ映像入力端子は、一般的にＤ１端子などと呼ばれている。
【００３２】
これらのアナログ映像信号は、たとえば１／３０秒などの所定の期間毎に、１つの表示画面に関する映像信号を有する。アナログ映像信号において１つの表示画面の映像信号は、その表示画面をブラウン管を用いたビーム走査式のディスプレイ装置で表示する場合の、水平走査線毎の輝度分布に対応する波形成分を単位として構成される。１つの表示画面は、たとえば４８０個、５２５個などの所定数の水平走査線毎の波形成分で構成される。
【００３３】
プラズマディスプレイ装置３のアナログ映像入力端子１１は、映像Ａ／Ｄ変換部１２に接続される。映像Ａ／Ｄ変換部１２は、アナログ映像入力端子１１に入力されるアナログ映像信号をサンプリングする。信号処理部１３は、映像Ａ／Ｄ変換部１２によるサンプリングデータに基づいて、アナログ映像信号における表示画面毎に、二次元画像データを生成する。ディスプレイドライバ１４は、プラズマ発光表示部１５のアドレス電極および表示電極に、信号処理部１３が生成した二次元画像データに応じた電圧を印加する。あるアドレス電極と表示電極との電位差が高電圧になると、そのアドレス電極および表示電極に対応する放電セルは、プラズマ放電し、所定の表示色で蛍光する。
【００３４】
このように、アナログ映像入力端子に入力されるアナログ映像信号における表示画面の波形成分に基づいて、プラズマ発光表示部１５は、表示画面を表示する。プラズマ発光表示部１５が表示する表示画面は、アナログ映像信号が次の表示画面の波形成分に切り替わったら、それに応じて切り替わる。これにより、プラズマディスプレイ装置３は、アナログ映像信号に基づいて、表示画面が所定の周期で切り替わる動画を表示することができる。
【００３５】
プラズマディスプレイ装置３のアナログ音声入力端子１７には、アナログ音声信号が入力される。アナログ音声信号は、所定の音声の波形成分を有する信号である。アナログ音声信号は、それに基づいてスピーカ５を駆動することで、そのスピーカ５からアナログ音声信号に信号化されている所定の音声を出力することができる信号である。
【００３６】
プラズマディスプレイ装置３のアナログ音声入力端子１７は、アンプ回路１８に接続される。アンプ回路１８は、アナログ音声入力端子１７に入力されるアナログ音声信号を増幅する。アンプ回路１８は、増幅したアナログ音声信号を内蔵スピーカ１９へ出力する。内蔵スピーカ１９は、増幅されたアナログ音声信号の波形成分にしたがって振動される。プラズマディスプレイ装置３は、アナログ音声入力端子１７に入力されたアナログ音声信号にしたがった音声を出力する。
【００３７】
図３は、図１中のオーディオアンプ装置４の構成を示すブロック図である。オーディオアンプ装置４は、信号入力手段としてのアナログ音声入力端子２１と、音声Ａ／Ｄ変換部２２と、記憶手段としての遅延データメモリ２３と、遅延手段としてのデジタル遅延回路２４と、音声Ｄ／Ａ（Ｄｉｇｉｔａｌ  ｔｏ  Ａｎａｌｏｇ）変換部２５と、ミュート手段としてのアンプ回路２６と、音声信号出力手段としてのアナログ音声出力端子２７と、を有する。オーディオアンプ装置４は、入力部３１と、モード判定部３２と、受光手段としての可視光受光部３３と、一致検出手段としての一致検出部３４と、変更手段としての遅延データ変更部３５と、表示部３６と、を有する。
【００３８】
オーディオアンプ装置４のアナログ音声入力端子２１は、音声Ａ／Ｄ変換部２２に接続される。音声Ａ／Ｄ変換部２２は、アナログ音声入力端子２１に入力されるアナログ音声信号をサンプリングし、デジタル遅延回路２４へ出力する。遅延データメモリ２３は、遅延データを記憶する。デジタル遅延回路２４は、それに入力されるデジタル値を、遅延データメモリ２３が記憶する遅延データの値に相当する時間で遅らせて出力する。音声Ｄ／Ａ変換部２５は、デジタル遅延回路２４から出力されるデジタル値が入力され、そのデジタル値に応じたレベルを出力する。これにより、音声Ｄ／Ａ変換部２５からは、アナログ音声入力端子２１に入力されるアナログ音声信号を、遅延データメモリ２３が記憶する遅延データの値に相当する時間で遅らせたアナログ音声信号が出力される。
【００３９】
オーディオアンプ装置４のアンプ回路２６は、音声Ｄ／Ａ変換部２５から出力される遅延されたアナログ音声信号を増幅する。アンプ回路２６は、増幅したアナログ音声信号をアナログ音声出力端子２７に出力する。アナログ音声出力端子２７には、図１に示すように、スピーカ５が接続される。スピーカ５は、アナログ音声信号に信号化されている所定の音声を出力する。
【００４０】
オーディオアンプ装置４の入力部３１は、ユーザの入力操作に応じて、オーディオアンプ装置４の動作モードの設定指示などを出力する。オーディオアンプ装置４は、通常のモードと、遅延データ設定モードとを有する。通常のモードでは、オーディオアンプ装置４は、アナログ音声入力端子２１に入力された信号を、遅延データメモリ２３に設定された時間で遅延してアナログ音声出力端子２７から出力する。遅延データ設定モードでは、オーディオアンプ装置４は、遅延データメモリ２３に遅延データを設定するための処理を実行する。モード判定部３２は、オーディオアンプ装置４のモードを判定する。
【００４１】
可視光受光部３３は、可視光を受光する。可視光受光部３３は、受光する可視光の色の変化や光量の変化に応じて値が変化する受光データを出力する。フォトセンサは、受光する光量に応じた電流を出力する。たとえば赤色フィルタを有するフォトトランジスタと、青色フィルタを有するフォトトランジスタとを組合せることで、赤色と青色とを区別することができる。可視光受光部３３は、たとえば、このようなフォトトランジスタを有し、そのフォトトランジスタの出力電流に応じて値が変化する受光データを出力するようにすればよい。
【００４２】
一致検出部３４には、可視光受光部３３からの受光データと、デジタル遅延回路２４の出力データとが入力される。一致検出部３４は、可視光受光部３３からの受光データの変化タイミングと、デジタル遅延回路２４の出力データの変化タイミングとが一致しているか否かを判断する。具体的にはたとえば、一致検出部３４は、可視光受光部３３からの受光データの値が所定の値以上変化した変化タイミングと、デジタル遅延回路２４の出力データによる周波数が変化した変化タイミングとの時間差が、所定の時間差（たとえば５ミリ秒）以下である場合に、これらのタイミングが一致していると判断する。一致検出部３４は、一致している判断したら、一致検出信号を出力する。
【００４３】
なお、デジタル遅延回路２４の出力データによる周波数が変化した変化タイミングを抽出するためには、たとえば、一致検出部３４の入力段として図示外のデジタルフィルタ部を設け、このデジタルフィルタ部で後述するテストディスク１の再生データに基づく音声データに含まれる高い周波数と低い周波数のデータの中の一方のみを透過するようにすればよい。また、そのデジタルフィルタ部の出力レベルの変化タイミングを、デジタル遅延回路２４の出力データによる周波数が変化した変化タイミングとすればよい。
【００４４】
遅延データ変更部３５は、遅延データメモリ２３に、予め定められた複数の値の遅延データを、所定の周期毎に順番に記憶させる。複数の遅延データは、たとえば「０」ミリ秒、「１０」ミリ秒、「２０」ミリ秒、「３０」ミリ秒、・・・、「２００」ミリ秒というように１０ミリ秒毎の値などであればよい。また、複数の遅延データは、たとえば「０」ミリ秒から「２００」ミリ秒、好ましくは「０」ミリ秒から「３００」ミリ秒までの範囲にわたる値であればよい。
【００４５】
発明者らの調査テストにより、動画より音声が２００ミリ秒以上先行する場合、普通の人であってもその音の先行が気になることがあることが分っている。また、感覚が鋭い人は、動画が音声より約１０ミリ秒以上遅れた場合、動画と音声とがずれていると感じることがある。
【００４６】
また、遅延データ変更部３５は、遅延データメモリ２３に記憶させている遅延データの値を表示部３６に出力する。表示部３６は、遅延データの値を表示する。
【００４７】
本発明の実施の形態１に係る同期調整システムは、以上のような構成および機能を有するプラズマディスプレイ装置３とオーディオアンプ装置４との同期を調整するためのものである。本発明の実施の形態１に係る同期調整システムは、アナログ映像信号に基づいてプラズマディスプレイ装置３が表示する動画と、アナログ音声信号に基づいてオーディオアンプ装置４に接続されるスピーカ５が出力する音声との同期を調整するためのものである。
【００４８】
このような目的を達成するために、本発明の実施の形態１に係る同期調整システムは、上述したように、同期調整のための映像などが記録されているテストディスク１と、このテストディスク１を再生するディスク再生装置２と、を有する。ディスク再生装置２がこのテストディスク１を再生することで、同期信号発生装置になる。
【００４９】
同期調整のための映像などが記録されているテストディスク１は、ディスク再生装置２により読み取り可能な光ディスクである。光ディスクには、ＤＶＤ−ＲＯＭ、ＤＶＤ−ＲＡＭ、ＤＶＤ−Ｒ、ＤＶＤ＋Ｒ、ＣＤ、ＣＤ−Ｒなどがある。テストディスク１には、再生データが記録される。
【００５０】
テストディスク１に記録される再生データは、同期調整のための動画のデータおよび音声のデータを有するＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）信号を記録したデータである。動画のデータは、白色の表示画面と黒色の表示画面とを１フレーム毎に交互に表示するデータである。音声のデータは、高い周波数（たとえば５ｋＨｚ）の正弦波と低い周波数（たとえば１ｋＨｚ）の正弦波とを１フレームの周期毎に交互に出力するデータである。テストディスク１に記録されている再生データにおいて、この動画のデータにおける画面の白黒の切替タイミングと、音声のデータにおける周波数の切替タイミングとは、一致している。
【００５１】
なお、音声データにおける低い周波数を１ｋＨｚ以上にすることで、それに基づくアナログ音声信号において１ミリ秒毎にゼロクロスタイミングを得ることができる。このゼロクロスタイミングを用いて受光部の受光データをサンプリングするように構成することで、動画のデータにおける画面の白黒の切替タイミングと音声のデータにおける周波数の切替タイミングとのタイミング差を、タイマによるクロック信号などを用いずに１ミリ秒の分解能で測定することができる。
【００５２】
図４は、図１中のディスク再生装置２の構成を示すブロック図である。ディスク再生装置２は、駆動モータ４１と、読出手段としての光ピックアップ４２と、ヘッドアンプ４３と、制御部４４と、選択手段としての入力部４５と、を有する。ディスク再生装置２は、デモジュレータ４６と、ＭＰＥＧ信号分離部４７と、オーディオデコーダ４８と、音声信号生成手段としての音声Ｄ／Ａ変換部４９と、信号出力手段の一部としてのアナログ音声出力端子５０と、を有する。ディスク再生装置２は、ＭＰＥＧストリームデコーダ５２と、動画信号生成手段としての映像Ｄ／Ａ変換部５３と、信号出力手段の一部としてのアナログ映像出力端子５４と、ＭＰＥＧ再圧縮部５５と、ＭＰＥＧ−ＴＳ（トラスポートストリーム）変換部５６と、デジタル映像出力端子５７と、を有する。
【００５３】
駆動モータ４１は、ディスク再生装置２にセットされたテストディスク１などの光ディスクを回転する。光ピックアップ４２は、回転する光ディスクからデータを読み出し、その再生データに応じた波形信号を出力する。ヘッドアンプ４３は、光ピックアップ４２から出力される波形信号を増幅する。入力部４５は、ユーザの操作に応じて、入力指示などを出力する。制御部４４は、入力部４５からの入力指示に基づいて、駆動モータ４１による光ディスクの回転駆動と、光ピックアップ４２による光ディスクからのデータ読み取り位置とを制御する。
【００５４】
デモジュレータ４６は、ヘッドアンプ４３により増幅された波形信号から、光ディスクに記録された動画および音声を含むＭＰＥＧ信号を生成する。ＭＰＥＧ信号分離部４７は、ＭＰＥＧ信号を、少なくとも光ディスクに記録された動画を含むＭＰＥＧストリーム信号と、光ディスクに記録された音声を含むデジタルオーディオ符号化信号とに分離する。
【００５５】
オーディオデコーダ４８は、ＭＰＥＧ信号分離部４７により分離されたデジタルオーディオ符号化信号をデコードする。音声Ｄ／Ａ変換部４９は、オーディオデコーダ４８によりデコードされた信号に基づいて、光ディスクに記録された音声の波形成分を含むアナログ音声信号を生成する。音声Ｄ／Ａ変換部４９は、アナログ音声信号をアナログ音声出力端子５０へ出力する。
【００５６】
ＭＰＥＧストリームデコーダ５２は、ＭＰＥＧ信号から分離されたＭＰＥＧストリーム信号をデコードする。映像Ｄ／Ａ変換部５３は、ＭＰＥＧストリームデコーダ５２によりデコードされた信号に基づいて、光ディスクに記録された動画を水平走査線毎の波形成分として含むアナログ映像信号を生成する。アナログ映像信号は、映像信号の一種である。映像Ｄ／Ａ変換部５３は、アナログ映像信号をアナログ映像出力端子５４へ出力する。
【００５７】
ＭＰＥＧ再圧縮部５５は、ＭＰＥＧストリームデコーダ５２によりデコードされた信号を再符号化して圧縮する。ＭＰＥＧ−ＴＳ変換部５６は、ＭＰＥＧ再圧縮部５５により圧縮された信号に基づいて、ＭＰＥＧストリーム信号を生成する。ＭＰＥＧ−ＴＳ変換部５６は、生成したＭＰＥＧストリーム信号をデジタル映像出力端子５７へ出力する。
【００５８】
次に、図１に示す音声同期システムを用いた、プラズマディスプレイ装置３とオーディオアンプ装置４との同期を調整する調整方法について説明する。
【００５９】
図５は、図１に示す同期調整システムにおける各種の信号波形を示すタイミングチャートである。図５における（Ａ）は、ディスク再生装置２から出力されるアナログ映像信号の波形である。図５における（Ｂ）は、ディスク再生装置２から出力されるアナログ音声信号の波形である。図５における（Ｃ）は、遅延データ設定モードによる調整前において、プラズマディスプレイ装置３に表示される表示画面の輝度変化の波形である。図５における（Ｄ）は、遅延データ設定モードによる調整前において、オーディオアンプ装置４の音声Ａ／Ｄ変換部２５から出力される音声の周波数の変化に応じた波形である。図５における（Ｅ）は、遅延データ設定モードによる調整中のあるタイミングにおいて、プラズマディスプレイ装置３に表示される表示画面の輝度変化の波形である。図５における（Ｆ）は、遅延データ設定モードによる調整中のあるタイミングにおいて、オーディオアンプ装置４の音声Ａ／Ｄ変換部２５から出力される音声の周波数の変化に応じた波形である。
【００６０】
ユーザは、まず、接続ケーブル８を用いて、ディスク再生装置２と、プラズマディスプレイ装置３と、オーディオアンプ装置４とを接続する。具体的には、接続ケーブル８を用いて、ディスク再生装置２のアナログ映像出力端子５４を、プラズマディスプレイ装置３のアナログ映像入力端子１１とを接続する。ユーザは、また、普通の接続ケーブル８を用いて、ディスク再生装置２のアナログ音声出力端子５０とオーディオアンプ装置４のアナログ音声入力端子２１とを接続する。
【００６１】
また、プラズマディスプレイ装置３とオーディオアンプ装置４とは、プラズマ発光表示部１５と可視光受光部３３とが向かい合わせとなるように配置する。これにより、プラズマ発光表示部１５が表示する動画の光は、可視光受光部３３に入射する。
【００６２】
以上の前準備が完了した後、ユーザは、テストディスク１をディスク再生装置２にセットし、ディスク再生装置２の入力部４５を操作する。制御部４４は、入力部４５からの入力指示に基づいて、この駆動モータ４１によるテストディスク１の回転駆動制御と、光ピックアップ４２によるテストディスク１からのデータ読み取り制御とを開始する。光ピックアップ４２は、回転駆動されているテストディスク１から、再生データを読み出す。光ピックアップ４２は、テストディスク１に記録されている再生データに応じた波形信号を出力する。
【００６３】
この再生データに応じた波形信号は、ヘッドアンプ４３を介して、デモジュレータ４６に入力される。デモジュレータ４６は、再生データに応じた波形信号に基づいて、ＭＰＥＧ信号を生成する。ＭＰＥＧ信号分離部４７は、このＭＰＥＧ信号を、ＭＰＥＧストリーム信号とデジタルオーディオ符号化信号とに分離する。ＭＰＥＧストリームデコーダ５２は、ＭＰＥＧストリーム信号をデコードし、映像Ｄ／Ａ変換部５３は、ＭＰＥＧストリームデコーダ５２によりデコードされた信号に基づいて、アナログ映像信号を生成し、アナログ映像出力端子５４へ出力する。
【００６４】
このアナログ映像信号は、図５における（Ａ）のように、ＮＴＳＣ方式でのアナログビデオ信号であり、１つのフレームは、複数の水平走査信号により構成される。白画面における水平走査信号には、高い輝度信号成分が含まれる。黒画面における水平走査信号には、低い輝度信号成分が含まれる。水平走査信号は、１フレーム毎に、高い輝度信号成分のものと、低い輝度信号成分のものとに切り替わる。
【００６５】
ディスク再生装置２のアナログ映像出力端子５４には、接続ケーブル８により、プラズマディスプレイ装置３のアナログ映像入力端子１１に接続されている。アナログ映像出力端子５４へ出力されたアナログ映像信号は、これらのアナログ映像入力端子１１に入力される。
【００６６】
プラズマディスプレイ装置３の映像Ａ／Ｄ変換部１２は、そのアナログ映像入力端子１１に入力されたアナログ映像信号をサンプリングし、信号処理部１３は、サンプリングデータに基づいて二次元画像データを生成し、ディスプレイドライバ１４は、二次元画像データに基づいて、プラズマ発光表示部１５のアドレス電極および表示電極の印加電圧を制御する。プラズマ発光表示部１５では、アドレス電極と表示電極との電位差が高電圧になった放電セルがそれぞれの表示色で蛍光する。
【００６７】
これにより、プラズマディスプレイ装置３のプラズマ発光表示部１５には、図５における（Ｃ）のように、１フレーム毎に、白色の表示画面と黒色の表示画面とが交互に表示される。
【００６８】
また、上述したように、ディスク再生装置２のＭＰＥＧ信号分離部４７は、ＭＰＥＧ信号を、ＭＰＥＧ映像信号と、デジタルオーディオ符号化信号とに分離する。ディスク再生装置２の音声Ｄ／Ａ変換部４９は、このデジタルオーディオ符号化信号に基づいてアナログ音声信号を生成し、アナログ音声出力端子５０へ出力する。
【００６９】
このアナログ音声信号は、図５における（Ｂ）のように、１フレーム周期毎に、高い周波数と低い周波数とに交互に切り替わる信号である。高い周波数は、たとえば５ｋＨｚである。低い周波数は、たとえば１ｋＨｚである。図５では、ディスク再生装置２から出力されるアナログ映像信号の水平走査信号が高い輝度信号成分のものと低い輝度信号成分のものとの間で切り替わるタイミングと、ディスク再生装置２から出力されるアナログ音声信号が高い周波数と低い周波数との間で切り替わるタイミングとは、一致している。
【００７０】
ディスク再生装置２のアナログ音声出力端子５０には、接続ケーブル８により、オーディオアンプ装置４のアナログ音声入力端子２１が接続されている。
【００７１】
オーディオアンプ装置４の音声Ａ／Ｄ変換部２２は、アナログ音声入力端子２１に入力されるアナログ音声信号をサンプリングする。デジタル遅延回路２４は、このサンプリングしたデータを、遅延データメモリ２３が記憶する遅延データの値に相当する時間で遅らせて出力する。たとえば、遅延データメモリ２３に遅延データとして「０」秒が記憶されている場合、デジタル遅延回路２４は、音声Ａ／Ｄ変換部２２がサンプリングしたデータを遅延させることなく直ちに出力する。音声Ｄ／Ａ変換部２５は、デジタル遅延回路２４から出力されるデジタル値に応じたレベルを出力する。
【００７２】
これにより、図５における（Ｄ）および（Ｂ）のように、音声Ｄ／Ａ変換部２５からは、アナログ音声入力端子２１に入力されるアナログ音声信号がほとんど遅延されずに出力される。
【００７３】
このようにディスク再生装置２から出力されるアナログ映像信号とアナログ音声信号とに基づいてプラズマディスプレイ装置３に所定の動画が表示され且つオーディオアンプ装置４のデジタル遅延回路２４から所定の音声データが出力される。音声Ｄ／Ａ変換部２５は、この音声データに基づいてアナログ音声信号を生成する。
【００７４】
次に、ユーザは、オーディオアンプ装置４の入力部３１を操作して、オーディオアンプ装置４を遅延データ設定モードに設定する。入力部３１は、ユーザの操作に基づいて、遅延データ設定モードに設定する指示をモード判定部３２へ出力する。
【００７５】
モード判定部３２は、この遅延データ設定モードへの設定指示に基づいて、オーディオアンプ装置４を遅延データ設定モードに設定する。具体的には、モード判定部３２は、まず、アンプ回路２６にミュート信号を出力する。アンプ回路２６は、それに入力されるアナログ音声信号を出力しなくなる。スピーカ５から音声は出力されなくなる。また、モード判定部３２は、遅延データ変更部３５に遅延データの設定開始を指示する。
【００７６】
遅延データ変更部３５は、また、モード判定部３２からの指示に基づいて、複数の遅延データの中の最小の遅延データ（たとえば０ミリ秒）を遅延データメモリ２３に記憶させる。遅延データ変更部３５は、遅延データメモリ２３に記憶させた遅延データの値を表示部３６に表示させる。
【００７７】
遅延データ変更部３５が最初の遅延データを遅延データメモリ２３に記憶させると、デジタル遅延回路２４は、音声Ａ／Ｄ変換部２２から入力されるアナログ音声信号のサンプリングデータを、その遅延データメモリ２３に記憶されている遅延データの時間で遅らせて出力する。
【００７８】
プラズマディスプレイ装置３のプラズマ発光表示部１５と向かい合わせに配置される可視光受光部３３は、プラズマ発光表示部１５に表示される動画に応じた受光データを出力する。受光データは、プラズマ発光表示部１５に白色の表示画面が表示されている時と、黒色の表示画面が表示されている時とで異なる値になる。受光データは、１フレーム毎に異なる値になる。
【００７９】
一致検出部３４は、可視光受光部３３からの受光データと、デジタル遅延回路２４の出力データとに基づいて、一致判定を行う。そして、たとえば、可視光受光部３３からの受光データの値が所定の値以上変化した変化タイミングと、デジタル遅延回路２４の出力データによる周波数が変化した変化タイミングとの時間差が、所定の時間差より大きい場合（たとえば５ミリ秒の場合）、一致検出部３４は、一致検出信号を出力しない。
【００８０】
一致検出部３４から一致検出信号が出力されない場合、遅延データ変更部３５は、所定の周期毎に、次の遅延データを遅延データメモリ２３に記憶させる。遅延データ変更部３５は、複数の遅延データの中から、値の小さいものから順番に遅延データメモリ２３に記憶させる。たとえば、複数の遅延データに、１０ミリ秒、２０ミリ秒、３０ミリ秒が含まれている場合、１０ミリ秒からその順番で遅延データメモリ２３に記憶させる。遅延データ変更部３５は、遅延データメモリ２３に新たに記憶させた遅延データの値を表示部３６に表示させる。
【００８１】
遅延データメモリ２３が記憶する遅延データが更新されると、デジタル遅延回路２４は、音声Ａ／Ｄ変換部２２から入力されるアナログ音声信号をサンプリングしたデータを、その遅延データメモリ２３に新たに記憶される遅延データの時間遅らせて出力する。デジタル遅延回路２４からは、所定の音声データが、遅延データメモリ２３に新たに記憶される遅延データの値で遅れて出力される。
【００８２】
このように遅延データ変更部３５により遅延データメモリ２３に記憶される遅延データが所定の周期毎に徐々に大きな値に更新される。これに応じて、デジタル遅延回路２４の出力データによる周波数が変化した変化タイミングは、徐々に遅くなる。その一方で、一致検出部３４は、可視光受光部３３からの受光データとデジタル遅延回路２４の出力データとに基づいて、一致判定を行う。
【００８３】
そして、可視光受光部３３からの受光データの値が所定の値以上変化した変化タイミングと、デジタル遅延回路２４の出力データによる周波数が変化した変化タイミングとの時間差が、所定の時間差（たとえば５ミリ秒）以下になると、一致検出部３４は、一致検出信号を出力する。
【００８４】
このとき、図５における（Ｅ）および（Ｆ）のように、プラズマディスプレイ装置３の表示が白画面と黒画面との間で切り替わるタイミングと、オーディオアンプ装置４の音声Ａ／Ｄ変換部２５から出力されるアナログ音声信号が高い周波数と低い周波数との間で交互に切り替わるタイミングとは、一致する。
【００８５】
一致検出部３４から一致検出信号が出力されると、遅延データ変更部３５は、遅延データメモリ２３に記憶させる遅延データの更新を止める。遅延データメモリ２３には、一致検出部３４から一致検出信号が出力されたときの遅延データが保持される。たとえば、遅延データ変更部３５が遅延データメモリ２３に２０ミリ秒を記憶させている時に、一致検出部３４から一致検出信号が出力されると、遅延データメモリ２３には、遅延データとしての２０ミリ秒が記憶される。
【００８６】
また、遅延データ変更部３５は、遅延データ設定モードによる遅延データの設定が完了したことを知らせる表示を表示部３６に表示させる。遅延データ変更部３５は、ミュート解除信号をモード判定部３２に出力する。モード判定部３２は、アンプ回路２６に出力していたミュート信号を解除する。アンプ回路２６は、それに入力されるアナログ音声信号を出力する。スピーカは、高い周波数（たとえば１ｋＨｚ）と低い周波数（たとえば５ｋＨｚ）とに切り替わる音声を出力する。
【００８７】
このオーディオアンプ装置の表示および音声出力により、ユーザは、遅延データの設定が完了したことを知る。
【００８８】
遅延データの設定が完了した後には、遅延データメモリ２３には、一致検出部３４が一致したと判断した時の遅延データが記憶されている。したがって、その後に、たとえばディスク再生装置２で映画、コンサート、録画番組などを再生したときには、音声は、遅延データメモリ２３に保持されている遅延データの値にしたがって遅延されて出力される。ユーザは、動画に対する音のずれによる違和感を感ずることなく鑑賞することができる。
【００８９】
以上のように、この実施の形態１に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【００９０】
また、この実施の形態１に係る同期調整システムでは、テストディスク１に記憶されている再生データをディスク再生装置２で再生することで、同期調整のためにプラズマディスプレイ装置３へ入力させるアナログ映像信号と、オーディオアンプ装置４へ入力させるアナログ音声信号とを発生している。
【００９１】
しかも、オーディオアンプ装置４は、遅延データメモリ２３に記憶させる遅延データを徐々に大きな値に更新しながら、アナログ映像信号に基づいてプラズマディスプレイ装置３に表示される動画による光を受光し、その受光した光の切り替わりタイミングとオーディオアンプ装置４に入力されるアナログ音声信号での周波数の切り替わりタイミングとが一致したら、遅延データの更新を終了する。
【００９２】
その結果、この実施の形態１に係る同期調整システムを用いることで、プラズマディスプレイ装置３とオーディオアンプ装置４との同期を調整するために、たとえば同期調整のためのアナログ映像信号とアナログ音声信号とを発生する専用の同期信号発生装置を使用することなく同期調整をすることができる。しかも、プラズマディスプレイ装置３とオーディオアンプ装置４とを購入したユーザが自宅において、特別な専用機器を購入したりすることなく、自動的に、それらの同期調整を実施することができる。
【００９３】
また、この実施の形態１に係る同期調整システムを用いることで、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、極めて容易且つ短時間に、動画と音声とが同期するように調整することができる。
【００９４】
なお、オーディオアンプ装置４は、遅延データメモリ２３に記憶させる遅延データを徐々に小さな値に更新するようにしてもよい。この場合でも、オーディオアンプ装置４は、アナログ映像信号に基づいてプラズマディスプレイ装置３に表示される動画による光を受光し、その受光した光の切り替わりタイミングとオーディオアンプ装置４に入力されるアナログ音声信号での周波数の切り替わりタイミングとが一致したら、遅延データの更新を終了し、その一致したときの遅延データを遅延データメモリ２３に保持させることができる。
【００９５】
なお、上記実施の形態１では、ディスク再生装置２によるテストディスク１の再生を開始してから、オーディオアンプ装置４を遅延データ設定モードに設定している。この他にもたとえば、オーディオアンプ装置４を遅延データ設定モードに設定してから、ディスク再生装置２によるテストディスク１の再生を開始するようにしてもよい。この場合、オーディオアンプ装置４において所定の遅延データが設定されるまで、オーディオアンプ装置４から音声は出力されなくなる。なお、テストディスク１に基づく音声は、アンプ回路２６にミュート信号を入力しつづけて、オーディオアンプ装置４から出力されないようにしてもよい。
【００９６】
実施の形態２．
本発明の実施の形態２に係る同期調整システムは、テストディスク１と、このテストディスク１を再生するディスク再生装置２と、プラズマディスプレイ装置３と、オーディオアンプ装置４と、スピーカ５と、を有する。ディスク再生装置２、プラズマディスプレイ装置３、オーディオアンプ装置４およびスピーカ５の接続関係は、実施の形態１の図１に示すものと同じである。
【００９７】
図６は、実施の形態２のオーディオアンプ装置４の構成を示すブロック図である。オーディオアンプ装置４は、遠隔ユニットとしてのリモコンユニット６１と、受信ユニットとしてのリモコン受光部６２と、を有する。
【００９８】
図７は、図６中のリモコンユニット６１の構成を示すブロック図である。リモコンユニット６１は、テンキーなどの操作ボタン７１と、送信信号生成部７２と、受光手段としての可視光受光部７３と、切替スイッチ７４と、送信手段としての赤外線送信部７５と、を有する。
【００９９】
送信信号生成部７２は、ユーザによる操作ボタン７１の操作に応じて、操作毎に予め決められた入力データを出力する。
【０１００】
可視光受光部７３は、可視光を受光する。可視光受光部７３は、受光する可視光の色の変化や光量の変化に応じて値が変化する受光データを出力する。
【０１０１】
切替スイッチ７４には、送信信号生成部７２および可視光受光部７３が接続される。切替スイッチ７４は、送信信号生成部７２が出力する入力データと、可視光受光部７３が出力する受光データの中の一方を選択し、出力する。
【０１０２】
赤外線送信部７５には、切替スイッチ７４が接続される。赤外線送信部７５は、切替スイッチ７４から出力されるデータで赤外線を変調し、その変調した赤外線を出力する。
【０１０３】
図６に戻り、オーディオアンプ装置４のリモコン受光部６２は、赤外線を受光する。受光部９２は、受光した赤外線に重畳されているデータを抽出して出力する。
【０１０４】
なお、これ以外のオーディオアンプ装置４の構成要素は、実施の形態１の同名のものと同じ構成要素であり、各構成要素に実施の形態１の同名のものと同一の符号を付してその図示および説明を省略する。また、テストディスク１、ディスク再生装置２、プラズマディスプレイ装置３の構成要素は、実施の形態１の同名のものと同じ構成要素であり、各構成要素に実施の形態１の同名のものと同一の符号を付してその図示および説明を省略する。
【０１０５】
次に、本発明の実施の形態２に係る同期調整システムを用いた、プラズマディスプレイ装置３とオーディオアンプ装置４との同期を調整する調整方法について説明する。
【０１０６】
ユーザは、まず、接続ケーブル８を用いて、ディスク再生装置２と、プラズマディスプレイ装置３と、オーディオアンプ装置４とを接続する。また、ユーザは、リモコンユニット６１の可視光受光部７３がプラズマディスプレイ装置３のプラズマ発光表示部１５と可視光受光部７３と向かい合わせとなるように配置する。これにより、プラズマ発光表示部１５が表示する動画の光は、リモコンユニット６１の可視光受光部７３に入射する。
【０１０７】
以上の前準備が完了した後、ユーザは、テストディスク１をディスク再生装置２にセットし、ディスク再生装置２の入力部４５を操作する。これにより、ディスク再生装置２のアナログ映像出力端子５４からは、テストディスク１の再生データの動画を含むアナログ映像信号が出力される。ディスク再生装置２のアナログ映像出力端子５４に接続されるプラズマディスプレイ装置３のプラズマ発光表示部１５には、１フレーム毎に、白色の表示画面と黒色の表示画面とが交互に表示される。
【０１０８】
また、ディスク再生装置２のアナログ音声出力端子５０からは、テストディスク１の再生データの音声を含むアナログ音声信号が出力される。このアナログ音声出力端子５０に接続されるオーディオアンプ装置４は、ディスク再生装置２から出力されるアナログ音声信号を、遅延データメモリ２３に記憶される遅延データに基づいてデジタル遅延回路２４が遅延させ、その遅延されたアナログ音声信号が音声Ｄ／Ａ変換部２５から出力される。アンプ回路２６は、このアナログ音声信号をスピーカ５へ出力する。スピーカ５は、１フレーム周期毎に、高い周波数と低い周波数とに切り替わる音声が出力される。
【０１０９】
次に、ユーザは、オーディオアンプ装置４の入力部３１を操作して、オーディオアンプ装置４を遅延データ設定モードに設定する。また、ユーザは、リモコンユニット６１の切替スイッチ７４を操作し、切替スイッチ７４が可視光受光部７３の受光データを赤外線送信部７５へ出力するように設定する。
【０１１０】
入力部３１は、ユーザの操作に基づいて、遅延データ設定モードに設定する指示をモード判定部３２へ出力する。モード判定部３２は、この遅延データ設定モードへの設定指示に基づいて、アンプ回路２６からのアナログ音声信号の出力を禁止し、遅延データ変更部３５に遅延データの設定開始を指示する。
【０１１１】
遅延データ変更部３５は、複数の遅延データの中の最小ものから順番に、遅延データメモリ２３に記憶させる。遅延データ変更部３５は、所定の周期毎に、遅延データメモリ２３に記憶させる遅延データをより大きな値のものへ変更する。また、遅延データ変更部３５は、遅延データメモリ２３に記憶させている遅延データの値を表示部３６に表示させる。
【０１１２】
プラズマディスプレイ装置３のプラズマ発光表示部１５と向かい合わせに配置されるリモコンユニット６１の可視光受光部７３は、プラズマ発光表示部１５に表示される動画に応じた受光データを出力する。受光データは、プラズマ発光表示部１５に白色の表示画面が表示されている時と、黒色の表示画面が表示されている時とで異なる値になる。受光データは、１フレーム毎に異なる値になる。
【０１１３】
可視光受光部７３が出力するこの受光データは、切替スイッチ７４を介して赤外線送信部７５に入力する。赤外線送信部７５は、赤外線をその受光データで変調して出力する。オーディオアンプ装置４のリモコン受光部６２は、この赤外線送信部７５から送信された赤外線を受光する。赤外線送信部７５は、受光した赤外線に重畳されているデータを抽出し、一致検出部３４へ出力する。
【０１１４】
一致検出部３４は、リモコンユニット６１の可視光受光部７３により生成された受光データと、デジタル遅延回路２４の出力データとに基づいて、一致判定を行う。そして、たとえば、可視光受光部７３からの受光データの値が所定の値以上変化した変化タイミングと、デジタル遅延回路２４の出力データによる周波数が変化した変化タイミングとの時間差が、所定の時間差以下である場合（たとえば５ミリ秒の場合）、一致検出部３４は、一致検出信号を遅延データ変更部３５へ出力する。
【０１１５】
一致検出部３４は、可視光受光部７３からの受光データの値が所定の値以上変化した変化タイミングと、デジタル遅延回路２４の出力データによる周波数が変化した変化タイミングとの時間差が、所定の時間差より大きい場合、遅延データ変更部３５へ一致検出信号を出力しない。遅延データ変更部３５は、一致検出信号が入力されるまで、遅延データメモリ２３に記憶させる遅延データをより大きな値のものへ変更する処理を継続する。
【０１１６】
したがって、一致検出部３４が一致検出信号を出力するまでの期間では、遅延データメモリ２３が記憶する遅延データは、徐々に大きな値へ変更される。デジタル遅延回路２４は、音声Ａ／Ｄ変換部２２から入力されるアナログ音声信号をサンプリングしたデータを、その遅延データメモリ２３に新たに記憶される遅延データの時間遅らせて出力する。これに応じて、デジタル遅延回路２４の出力データによる周波数が変化した変化タイミングは、徐々に遅くなる。
【０１１７】
そして、可視光受光部７３からの受光データの値が所定の値以上変化した変化タイミングと、デジタル遅延回路２４の出力データによる周波数が変化した変化タイミングとの時間差が、所定の時間差（たとえば５ミリ秒）以下になると、一致検出部３４は、一致検出信号を出力する。
【０１１８】
このとき、プラズマディスプレイ装置３の表示が白画面と黒画面との間で切り替わるタイミングと、オーディオアンプ装置４の音声Ａ／Ｄ変換部２５から出力されるアナログ音声信号が高い周波数と低い周波数との間で交互に切り替わるタイミングとは、一致する。
【０１１９】
一致検出部３４から一致検出信号が出力されると、遅延データ変更部３５は、遅延データメモリ２３に記憶させる遅延データの更新を止める。遅延データメモリ２３には、一致検出部３４から一致検出信号が出力されたときの遅延データが保持される。また、遅延データ変更部３５は、遅延データ設定モードによる遅延データの設定が完了したことを知らせる表示を表示部３６に表示させる。
【０１２０】
また、遅延データ変更部３５は、ミュート解除信号をモード判定部３２に出力する。モード判定部３２は、アンプ回路２６に出力していたミュート信号を解除する。アンプ回路２６は、それに入力されるアナログ音声信号を出力する。スピーカは、高い周波数（たとえば１ｋＨｚ）と低い周波数（たとえば５ｋＨｚ）とに切り替わる音声を出力する。このオーディオアンプ装置の表示および音声出力により、ユーザは、遅延データの設定が完了したことを知る。
【０１２１】
遅延データの設定が完了した後には、遅延データメモリ２３には、一致検出部３４が一致したと判断した時の遅延データが記憶されている。したがって、その後に、たとえばディスク再生装置２で映画、コンサート、録画番組などを再生したときには、音声は、遅延データメモリ２３に保持されている遅延データの値にしたがって遅延されて出力される。ユーザは、動画に対する音のずれによる違和感を感ずることなく鑑賞することができる。
【０１２２】
以上のように、この実施の形態２に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【０１２３】
また、この実施の形態２に係る同期調整システムでは、プラズマディスプレイ装置３の光をリモコンユニット６１の可視光受光部７３で受光している。したがって、プラズマディスプレイ装置３の前にオーディオアンプ装置４の本体を設定することなく、同期調整をすることができる。
【０１２４】
実施の形態３．
本発明の実施の形態３に係る同期調整システムは、テストディスク１と、このテストディスク１を再生するディスク再生装置２と、プラズマディスプレイ装置３と、オーディオアンプ装置４と、スピーカ５と、を有する。ディスク再生装置２、プラズマディスプレイ装置３、オーディオアンプ装置４およびスピーカ５の接続関係は、実施の形態１の図１に示すものと同じである。
【０１２５】
図８は、実施の形態３のオーディオアンプ装置４の構成を示すブロック図である。オーディオアンプ装置４は、ずれ量検出手段としてのずれ量検出部８１と、設定手段としての遅延データ設定部８２と、を有する。
【０１２６】
ずれ量検出部８１には、可視光受光部３３からの受光データと、デジタル遅延回路２４の出力データとが入力される。ずれ量検出部８１は、可視光受光部３３からの受光データの変化タイミングと、デジタル遅延回路２４の出力データの変化タイミングとの時間差をずれ量として検出する。具体的にはたとえば、ずれ量検出部８１は、デジタル遅延回路２４の出力データによる周波数が変化する変化タイミングから、可視光受光部３３からの受光データの値が所定の値以上変化する変化タイミングまでの時間を図示外のタイマで計測する。ずれ量検出部８１は、タイマにより計測した時間の値をずれ量の値として出力する。この場合のずれ量は、音声の周波数変化より画像の白黒反転が遅い場合にプラスの値となる。
【０１２７】
遅延データ設定部８２は、遅延データメモリ２３に遅延データを設定する。遅延データ設定部８２は、可視光受光部３３からの受光データの変化タイミングを基準として、それと音声の周波数変化とが同期するような値の遅延データを設定する。具体的には、遅延データ設定部８２は、たとえば、ずれ量検出部８１から出力されるずれ量の値を遅延データとして設定する。また、遅延データ設定部８２は、遅延データメモリ２３に記憶させる遅延データの値を、表示部３６に出力する。表示部３６は、遅延データの値を表示する。
【０１２８】
なお、これ以外のオーディオアンプ装置４の構成要素は、実施の形態１の同名のものと同じ構成要素であり、各構成要素に実施の形態１の同名のものと同一の符号を付してその図示および説明を省略する。また、テストディスク１、ディスク再生装置２、プラズマディスプレイ装置３の構成要素は、実施の形態１の同名のものと同じ構成要素であり、各構成要素に実施の形態１の同名のものと同一の符号を付してその図示および説明を省略する。
【０１２９】
次に、本発明の実施の形態３に係る同期調整システムを用いた、プラズマディスプレイ装置３とオーディオアンプ装置４との同期を調整する調整方法について説明する。
【０１３０】
図９は、本発明の実施の形態３の同期調整システムにおける各種の信号波形を示すタイミングチャートである。図９における（Ａ）は、ディスク再生装置２から出力されるアナログ映像信号の波形である。図９における（Ｂ）は、ディスク再生装置２から出力されるアナログ音声信号の波形である。図９における（Ｃ）は、遅延データ設定モードによる調整前において、プラズマディスプレイ装置３に表示される表示画面の輝度変化の波形である。図９における（Ｄ）は、遅延データ設定モードによる調整前において、オーディオアンプ装置４の音声Ａ／Ｄ変換部２５から出力される音声の周波数の変化に応じた波形である。
【０１３１】
ユーザは、まず、接続ケーブル８を用いて、ディスク再生装置２と、プラズマディスプレイ装置３と、オーディオアンプ装置４とを接続する。また、プラズマディスプレイ装置３とオーディオアンプ装置４とは、プラズマ発光表示部１５と可視光受光部３３とが向かい合わせとなるように配置する。
【０１３２】
以上の前準備が完了した後、ユーザは、テストディスク１をディスク再生装置２にセットし、ディスク再生装置２の入力部４５を操作する。これにより、ディスク再生装置２のアナログ映像出力端子５４からは、図９における（Ａ）のように、テストディスク１の再生データの動画を含むアナログ映像信号が出力される。この動画は、１フレーム毎に、白画面と黒画面との間で切り替わるものである。また、ディスク再生装置２のアナログ映像出力端子５４に接続されるプラズマディスプレイ装置３は、プラズマ発光表示部１５に、図９における（Ｃ）のように、１フレーム毎に、白色の表示画面と黒色の表示画面とが交互に表示される。
【０１３３】
また、ディスク再生装置２のアナログ音声出力端子５０からは、図９における（Ｂ）のように、テストディスク１の再生データの音声を含むアナログ音声信号が出力される。この音声は、１フレーム毎に、高い周波数と低い周波数との間で切り替わるものである。図９では、ディスク再生装置２から出力されるアナログ映像信号の水平走査信号が高い輝度信号成分のものと低い輝度信号成分のものとの間で切り替わるタイミングと、ディスク再生装置２から出力されるアナログ音声信号が高い周波数と低い周波数との間で切り替わるタイミングとは、一致している。
【０１３４】
ディスク再生装置２のアナログ音声出力端子５０には、接続ケーブル８により、オーディオアンプ装置４のアナログ音声入力端子２１が接続されている。オーディオアンプ装置４は、ディスク再生装置２から出力されるアナログ音声信号を、遅延データメモリ２３に記憶される遅延データに基づいてデジタル遅延回路２４が遅延させ、その遅延されたアナログ音声信号が音声Ｄ／Ａ変換部２５から出力される。図９における（Ｄ）および（Ｂ）のように、遅延データメモリ２３に「０」ミリ秒の遅延データが記憶されている場合、音声Ｄ／Ａ変換部２５からは、アナログ音声入力端子２１に入力されるアナログ音声信号がほとんど遅延されずに出力される。
【０１３５】
このようにディスク再生装置２から出力されるアナログ映像信号とアナログ音声信号とに基づいてプラズマディスプレイ装置３に所定の動画が表示され且つオーディオアンプ装置４のデジタル遅延回路２４から所定の音声データが出力される。音声Ｄ／Ａ変換部２５は、この音声データに基づいてアナログ音声信号を生成する。アンプ回路２６は、このアナログ音声信号をスピーカ５へ出力する。スピーカ５は、１フレーム周期毎に、高い周波数と低い周波数とに切り替わる音声が出力される。これにより、ユーザは、同期調整のための音声などが正常に再生されていることを確認することができる。
【０１３６】
次に、ユーザは、オーディオアンプ装置４の入力部３１を操作して、オーディオアンプ装置４を遅延データ設定モードに設定する。入力部３１は、ユーザの操作に基づいて、遅延データ設定モードに設定する指示をモード判定部３２へ出力する。
【０１３７】
モード判定部３２は、この遅延データ設定モードへの設定指示に基づいて、オーディオアンプ装置４を遅延データ設定モードに設定する。具体的には、モード判定部３２は、まず、アンプ回路２６にミュート信号を出力する。アンプ回路２６は、それに入力されるアナログ音声信号を出力しなくなる。スピーカ５から音声は出力されなくなる。また、モード判定部３２は、遅延データ設定部８２に遅延データメモリ２３をリセットする指示を出力した後、ずれ量検出部８１にずれ量の検出を指示する。遅延データ設定部８２は、このリセット指示に基づいて、遅延データメモリ２３に「０」ミリ秒の遅延データを記憶させる。
【０１３８】
ずれ量の検出指示が入力されると、ずれ量検出部８１は、音声Ａ／Ｄ変換部２２の出力に基づいて、ずれ量の検出を開始するタイミングを検出する。具体的にはたとえば、ずれ量検出部８１は、音声Ａ／Ｄ変換部２２の出力データがアナログ音声信号の基準レベルを超えたタイミング（たとえばゼロクロスタイミング）を検出する。
【０１３９】
そして、ずれ量の検出を開始するタイミングを検出すると、ずれ量検出部８１は、そのタイミングから、ずれ量の検出処理を開始する。ずれ量検出部８１は、可視光受光部３３からの受光データの変化タイミングと、デジタル遅延回路２４の出力データの変化タイミングとの時間差をずれ量として検出する。ずれ量検出部８１は、ずれ量の値を遅延データ設定部８２へ出力する。
【０１４０】
ずれ量検出部８１からずれ量の値が入力されると、遅延データ設定部８２は、その入力されたずれ量の値を遅延データとして遅延データメモリ２３に記憶させる。また、遅延データ設定部８２は、遅延データメモリ２３に記憶させる遅延データの値を表示部に表示させる。
【０１４１】
また、遅延データ設定部８２は、遅延データ設定モードによる遅延データの設定が完了したことを知らせる表示を表示部３６に表示させる。遅延データ設定部８２は、ミュート解除信号をモード判定部３２に出力する。モード判定部３２は、アンプ回路２６に出力していたミュート信号を解除する。アンプ回路２６は、それに入力されるアナログ音声信号を出力する。スピーカは、アンプ回路２６から出力されるアナログ音声信号に基づいて音声を出力する。
【０１４２】
遅延データの設定が完了した後には、遅延データメモリ２３には、一致検出部３４が一致したと判断した時の遅延データが記憶されている。デジタル遅延回路２４は、それに入力される音声信号のサンプリングデータをその遅延データの値の分で遅延して出力する。
【０１４３】
したがって、その後に、たとえばディスク再生装置２で映画、コンサート、録画番組などを再生したときには、音声は、遅延データメモリ２３に保持されている遅延データの値にしたがって遅延されて出力される。ユーザは、動画に対する音のずれによる違和感を感ずることなく鑑賞することができる。
【０１４４】
以上のように、この実施の形態３に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【０１４５】
また、この実施の形態３に係る同期調整システムでは、テストディスク１に記憶されている再生データをディスク再生装置２で再生することで、同期調整のためにプラズマディスプレイ装置３へ入力させるアナログ映像信号と、オーディオアンプ装置４へ入力させるアナログ音声信号とを発生している。
【０１４６】
しかも、オーディオアンプ装置４は、自動的に、アナログ映像信号に基づいてプラズマディスプレイ装置３に表示される動画による光の変化タイミングと、オーディオアンプ装置４に入力されるアナログ音声信号での周波数の切り替わりタイミングとのずれ量を測定し、そのずれ量に基づいて遅延データを設定する。
【０１４７】
その結果、この実施の形態３に係る同期調整システムを用いることで、プラズマディスプレイ装置３とオーディオアンプ装置４との同期を調整するために、たとえば同期調整のためのアナログ映像信号とアナログ音声信号とを発生する専用の同期信号発生装置を使用することなく同期調整をすることができる。しかも、プラズマディスプレイ装置３とオーディオアンプ装置４とを購入したユーザが自宅において、特別な専用機器を購入したりすることなく、自動的に、それらの同期調整を実施することができる。
【０１４８】
また、この実施の形態３に係る同期調整システムを用いることで、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、極めて容易に且つ短時間で、動画と音声とが同期するように調整することができる。
【０１４９】
なお、この実施の形態３は、同期調整システムの基本的な構成として実施の形態１の構成を利用して説明したが、同期調整システムの基本的な構成として実施の形態２の構成を利用することもできる。つまり、可視光受光部３３を、リモコン受光部６２およびリモコンユニット６１とに置き換え、このリモコンユニット６１でプラズマディスプレイ装置３の光を受光し、その受光光における白黒反転のタイミングと音声の周波数の切替タイミングとのずれ量を測定し、そのずれ量を遅延データとして遅延データメモリ２３に記憶させるように調整してもよい。
【０１５０】
以上の各実施の形態は、本発明の好適な実施の形態の例であるが、本発明はこれに限定されるものではなく、発明の要旨を逸脱しない範囲において、種々の変形、変更が可能である。
【０１５１】
たとえば、上記各実施の形態では、ディスク再生装置２、プラズマディスプレイ装置３およびオーディオアンプ装置４の間で、アナログ映像信号およびアナログ音声信号を送受している。この他にもたとえば、ディスク再生装置２、プラズマディスプレイ装置３およびオーディオアンプ装置４の間で、少なくもと動画を含むデジタル映像信号および少なくとも音声を含むデジタル音声信号を送受するようにしてもよい。
【０１５２】
このようなデジタル映像信号あるいはデジタル音声信号として使用できる信号としては、たとえばＭＰＥＧ−ＴＳなどのＭＰＥＧ信号がある。ＭＰＥＧ−ＴＳには、動画および音声を格納することができる。したがって、このようにデジタルの信号で動画および音声を送受する場合、動画および音声を１つのデジタル信号として上記機器間で送受するようにしてもよい。また、ＭＰＥＧ−ＴＳでは、そのプライベートストリームに任意の情報を格納することができる。したがって、映像に対する音声のずれ量は、このプライベートストリームに格納して伝送すればよい。
【０１５３】
図１０は、ディスク再生装置２、プラズマディスプレイ装置３およびオーディオアンプ装置４を、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠した光ケーブル１２１で接続した場合の同期調整システムを示す図である。なお、図１０には、映像および信号の伝送系のみを示している。ＩＥＥＥ１３９４は、複数の機器同士を光ケーブル１２１などで接続し、これらの機器間でデジタルデータを伝送するための規格である。機器間でデジタルデータを伝送するための規格としては、この他にもＵＳＢ（Ｕｎｉｖｅｒｓａｌ  Ｓｅｒｉａｌ  Ｂｕｓ）などがある。
【０１５４】
図１０において、ディスク再生装置２は、ＭＰＥＧ信号を送出するトランシーバ１２２を有し、プラズマディスプレイ装置３およびオーディオアンプ装置４は、ＭＰＥＧ信号を受信するレシーバ１２３，１２４を有する。ディスク再生装置２が、テストディスク１の再生データに基づいて生成するＭＰＥＧ信号は、トランシーバ１２２から各レシーバ１２３，１２４に送信される。
【０１５５】
プラズマディスプレイ装置３のＭＰＥＧ信号分離部１２５は、レシーバ１２３が受信したＭＰＥＧ信号から、動画のデータを分離する。信号処理部１３は、動画のデータに基づいて表示画面毎の二次元画像データを生成する。これにより、プラズマディスプレイ装置３のプラズマ発光表示部１５には、ＭＰＥＧ信号に基づく動画が表示される。
【０１５６】
オーディオアンプ装置のＭＰＥＧ信号分離部１２６は、レシーバ１２４が受信したＭＰＥＧ信号からデジタルオーディオ符号化信号を分離する。デジタル遅延回路２４は、デジタルオーディオ符号化信号を、図示外の遅延データメモリに記憶されている遅延データの値に基づいて遅延させて出力する。
【０１５７】
このように図１０に示す同期調整システムでは、ディスク再生装置２、プラズマディスプレイ装置３およびオーディオアンプ装置４の間で、動画および音声を有するＭＰＥＧ信号を送受し、このＭＰＥＧ信号の動画および音声に基づいて、プラズマディスプレイ装置３およびオーディオアンプ装置４が同期するように調整することができる。
【０１５８】
上記各実施の形態では、テストディスク１には、白画面のフレームと黒画面のフレームとが１つずつ交互に現れる動画の再生データが記録されている。この他にもたとえば、テストディスク１には、白画面のフレームと黒画面のフレームとが２つ以上続けて交互に現れる動画の再生データが記録されていてもよい。また、白画面のフレームが連続するフレーム数と黒画面のフレームが連続するフレーム数とが異なっていてもよい。
【０１５９】
このように、白画面のフレームあるいは黒画面のフレームを数フレーム続けることで、受光部の出力信号は、そのフレーム数の時間に応じた変化になる。たとえば、一致検出部３４は、１フレーム期間よりも長い期間毎に、一致検出をすることになる。その結果、プラズマディスプレイ装置３における遅延時間が１フレームの周期以上となっている場合であっても、オーディオアンプ装置４は、動画と音声とが同期する一致タイミングを検出したり、動画と音声とのずれ量を検出したりすることができる。
【０１６０】
このような調整が可能となるように構成する場合、白画面のフレームあるいは黒画面のフレームは、たとえば１０フレーム程度ずつ連続するようにすればよい。１０フレームは、約３３０ミリ秒である。プラズマディスプレイ装置３には、画像の表示が１５０ミリ秒程度遅延するものがある。したがって、この白画面のフレームあるいは黒画面のフレームを１０フレーム程度連続させるようにすれば、プラズマディスプレイ装置３とオーディオアンプ装置４とを同期させることができる。
【０１６１】
この他にもたとえば、テストディスク１に記録する再生データは、白画面のフレームと黒画面のフレームとが１つずつ交互となる前に、白画面のフレームと黒画面のフレームとが所定の順番（パターン）で現れるようにしてもよい。また、一致検出部３４あるいはずれ量検出部８１は、この所定の順番（パターン）を検出してから検出処理を実行するようにすればよい。この所定の順番（パターン）は、同期パターンとして利用できる。これにより、たとえば、プラズマディスプレイ装置３における遅延時間が１フレームの周期以上となっている場合であっても、オーディオアンプ装置４は、可視光受光部３３，７３による受光データに基づいて、プラズマディスプレイ装置３による１フレーム以上の遅延時間に対して音声が同期するように調整することができる。
【０１６２】
この他にもたとえば、テストディスク１に記録する再生データに、第三の色（たとえば灰色）のフレームを追加し、一致検出部３４あるいはずれ量検出部８１は、この第三の色（たとえば灰色）のフレームを検出してから検出処理を実行するようにしても、プラズマディスプレイ装置３による１フレーム以上の遅延時間に対して音声が同期するように調整することができる。
【０１６３】
この他にもたとえば、テストディスク１に記録する再生データの音声に、このような同期パターンを含めるようにしてもよい。具体的にはたとえば、テストディスク１に記録する再生データの音声は、同期用の音声パターンとして、各フレームの最初のフィールドにおいて有音となり且つ２番目のフィールドにおいて無音となるものを含んでいたり、最初のフィールドで白黒の一方に対応する周波数となり且つ２番目のフィールドにおいて他方に対応する周波数となるものを含んでいたりするものであればよい。この場合、オーディオアンプ装置４の一致検出部３４あるいはずれ量検出部８１は、この音声における同期パターンを検出した後において検出処理を実行すればよい。
【０１６４】
上記各実施の形態では、テストディスク１に記録する再生データの音声は、所定の１つの周波数の正弦波の音声を出力するものである。この他にもたとえば、テストディスク１に記録する再生データの音声は、所定の周期で変化する矩形波の音声を出力するものであってもよい。
【０１６５】
上記各実施の形態では、テストディスク１に記録する再生データの音声は、動画の白画面と黒画面とで異なる周波数に切り替えている。この他にもたとえば、テストディスク１に記録する再生データの音声は、動画の白画面と黒画面とで異なる振幅に切り替えるものであってもよい。この２つの振幅の変調率は、１００％以上であってもよい。この２つの振幅の音声の周波数は、同一であっても、異なっていてもよい。ただし、動画に対する音声のずれ量をその音声のゼロクロスタイミングに基づいて１ミリ秒単位で検出する場合には、それら２つの画面に対応する音声の周波数はともに、１ｋＨｚ以上のものにするとよい。
【０１６６】
上記各実施の形態では、可視光受光部３３，７３は、プラズマディスプレイ装置３が表示する動画の１画面毎の輝度を受光している。この他にもたとえば、可視光受光部３３，７３は、プラズマディスプレイ装置３が表示する動画の１画面の中の一部の輝度を受光するようにしてもよい。具体的にはたとえば、可視光受光部３３に光ファイバーなどの導光部材を設け、その導光部材の先端をプラズマディスプレイ装置３の画面の一部に貼り付けたり、リモコンユニット６１をその可視光受光部７３がプラズマディスプレイ装置３の画面の一部と対向するように貼り付けたりすれば、可視光受光部３３，７３に、１画面の中の一部の輝度を受光させることができる。なお、図示外の吸盤部材などをリモコンユニット６１などに設け、この吸盤でリモコンユニット６１などをプラズマディスプレイ装置３の画面に貼り付ければよい。
【０１６７】
このようにプラズマディスプレイ装置３の画面の一部の光を可視光受光部３３，７３に受光させる場合において、画面内の受光する部位は、基本的にどこであってもよいが、たとえば、画面のセンター（中央）、画面の左上、画面の右下であればよい。特に、たとえばプラズマディスプレイ装置３の替わりにブラウン管ディスプレイ装置の動画とオーディオアンプ装置４の音声との同期を調整する場合においては、電子線による走査が画面の上側から下側へなされているので、可視光受光部３３，７３が貼り付けられた部位が点灯あるいは消灯するタイミングが、ブラウン管ディスプレイ装置が出力する音声の変化タイミングと一致する部位とするのが望ましい。また、可視光受光部３３，７３を貼り付ける画面内の部位に、貼り付け位置を示すマークを画像として表示するようにしてもよい。
【０１６８】
そして、このように遅延データ設定モードのときに、プラズマディスプレイ装置３の画面の一部の光を可視光受光部３３，７３に受光させる場合、画面全体の光を可視光受光部３３，７３に受光させる場合に比べて、以下のようなメリットがある。
【０１６９】
すなわち、画面全体の光を可視光受光部３３，７３に受光させる場合、その画面全体の光を可視光受光部３３，７３に受光させるために、可視光受光部３３，７３は、プラズマディスプレイ装置３から離間した位置に設定することになる。そのため、可視光受光部３３，７３には、プラズマディスプレイ装置３以外の光、たとえば蛍光灯や電灯の光などが外光として入射する。外光は、受光データにおいてノイズ成分となる。蛍光灯や電灯の光は、商用電源の周波数（５０Ｈｚや６０Ｈｚ）で光量が波打つ。この周期は、アナログ映像信号に基づいて画面が白から黒および黒から白に切り替わる周期（約６６ミリ秒）に近い。受光データからノイズ成分を除去するのは難しい。したがって、この外光の光量が多い場合には、一致検出部３４またはずれ量検出部８１は、受光データに基づいて、画面が白黒に反転するタイミングを正確に判断することができない場合が生じる。
【０１７０】
これに対して、プラズマディスプレイ装置３の画面の一部の光を可視光受光部３３，７３に受光させる場合、可視光受光部３３，７３に外光が入射されることはまずない。外光が入射されることがあったとしても、その光量は、プラズマディスプレイ装置３の画面の輝度に基づく光量にくらべてずっと少なくなる。したがって、明るい室内などであっても、一致検出部３４またはずれ量検出部８１は、受光データに基づいて、画面が白黒に反転するタイミングを正確に判断することが可能となる。
【０１７１】
上記各実施の形態では、テストディスク１をディスク再生装置２で再生することで、プラズマディスプレイ装置３とオーディオアンプ装置４とを同期させるための基準信号、すなわちアナログ映像信号およびアナログ音声信号を生成している。この他にもたとえば、テレビジョン受信装置やチューナ装置にて、映像と音声とが同期している放送電波を受信し、それに基づいて出力される映像信号と音声信号とを用いて、プラズマディスプレイ装置とオーディオアンプ装置との同期を調整するようにしてもよい。また、オーディオビジュアルのコンテンツを記録再生できるハードディスクレコーダなどの他の再生装置から、同期調整に使用する映像信号と音声信号とを出力するようにしてもよい。
【０１７２】
上記各実施の形態では、再生データにおける動画および音声として、表示画面の全面が白黒で変化する動画と、周波数が切り替わる音声とを使用している。この他にもたとえば、表示画面の一部が白黒で変化する動画を使用したり、表示画面の一部に所定の画像が表示されたり消えたりする動画を使用したりしてもよい。また、音声の周波数や振幅ではなく、無音と有音とで切り替わるものを使用したりしてもよい。また、動画と音声とは再生データにおいて一致していなくてもよい。この場合、その再生データに含まれる動画と音声とのずれ量を、ディスク再生装置２からオーディオアンプ装置４へ送信し、オーディオアンプ装置４の遅延データ設定部は、この再生データに含まれる動画と音声とのずれ量で補正した値の遅延データを遅延データメモリ２８に設定すればよい。
【０１７３】
上記各実施の形態では、オーディオアンプ装置４は、一致判定あるいはずれ量検出の際に、遅延データメモリに遅延データを設定し、この設定された遅延データによる時間でアナログ音声信号を離散的に遅らせている。この他にもたとえば、オーディオアンプ装置４は、アナログ音声信号を連続的に可変するように構成されていてもよい。
【０１７４】
上記各実施の形態では、プラズマディスプレイ装置とオーディオアンプ装置とを組み合わせた場合において、映像と音声との同期を調整する場合を例として説明している。この他にもたとえば、ディスプレイ装置としては、液晶ディスプレイ装置、ブラウン管を用いたディスプレイ装置などがある。これら他のディスプレイ装置とオーディオアンプ装置とを組み合わせた場合においても、装置内での信号処理や映像信号の伝送経路と音声信号の伝送経路との違いなどに基づいて、再生する映像と音声との間にずれが生じることがある。このような装置の組合せであったとしても、本発明の各実施の形態に係る同期調整システムを用いて同期するように調整することで、違和感を感ずることなく映画などを鑑賞することができるようになる。
【０１７５】
上記各実施の形態では、入力手段に入力される音声信号及び／又は、入力手段から出力される音声信号は、アナログ信号であるが、これらをデジタル信号としてもよい。
【産業上の利用可能性】
【０１７６】
本発明は、プラズマディスプレイ装置とオーディオアンプ装置とを使用するホームシアターシステムなどにおいて、それらの動画と音声とを同期させるために利用することができる。
【図面の簡単な説明】
【０１７７】
【図１】図１は、本発明の実施の形態１に係る同期調整システムを示す図である。
【図２】図２は、図１中のプラズマディスプレイ装置の構成を示すブロック図である。
【図３】図３は、図１中のオーディオアンプ装置の構成を示すブロック図である。
【図４】図４は、図１中のディスク再生装置の構成を示すブロック図である。
【図５】図５は、図１に示す同期調整システムにおける各種の信号波形を示すタイミングチャートである。
【図６】図６は、実施の形態２のオーディオアンプ装置の構成を示すブロック図である。
【図７】図７は、図６中のリモコンユニットの構成を示すブロック図である。
【図８】図８は、実施の形態３のオーディオアンプ装置の構成を示すブロック図である。
【図９】図９は、本発明の実施の形態３の同期調整システムにおける各種の信号波形を示すタイミングチャートである。
【図１０】図１０は、ディスク再生装置、プラズマディスプレイ装置およびオーディオアンプ装置を、ＩＥＥＥ１３９４規格に準拠した光ケーブルで接続した場合の同期調整システムを示す図である。
【符号の説明】
【０１７８】
１  テストディスク（同期信号発生装置の一部、記録媒体）
２  ディスク再生装置（同期信号発生装置の一部）
３  プラズマディスプレイ装置（表示装置）
４  オーディオアンプ装置（音声出力装置）
２１  アナログ音声入力端子（信号入力手段）
２３  遅延データメモリ（記憶手段）
２４  デジタル遅延回路（遅延手段）
２６  アンプ回路（ミュート手段）
２７  アナログ音声出力端子（音声信号出力手段）
３３  可視光受光部（受光手段）
３４  一致検出部（一致検出手段）
３５  遅延データ変更部（変更手段）
４２  光ピックアップ（読出手段）
５３  映像Ｄ／Ａ変換部（動画信号生成手段）
４９  音声Ｄ／Ａ変換部（音声信号生成手段）
５０  アナログ音声出力端子（信号出力手段の一部）
５４  アナログ映像出力端子（信号出力手段の一部）
６１  リモコンユニット（遠隔ユニット）
６２  リモコン受光部（受信ユニット）
７３  可視光受光部（受光手段）
７５  赤外線送信部（送信手段）
８１  ずれ量検出部（ずれ量検出手段）
８２  遅延データ設定部（設定手段）
【図１】
2006340251.tif 000003
【図２】
2006340251.tif 000004
【図３】
2006340251.tif 000005
【図４】
2006340251.tif 000006
【図５】
2006340251.tif 000007
【図６】
2006340251.tif 000008
【図７】
2006340251.tif 000009
【図８】
2006340251.tif 000010
【図９】
2006340251.tif 000011
【図１０】
2006340251.tif 000012